(57)【特許請求の範囲】
【請求項１】
本体部の前方部側にウエイトを有すると共に同前方部にラインの接続部を有する疑似餌を備えた釣り用仕掛けであって、
前記本体部の後方部に前記ラインを仮止めするための仮止具を設け、この仮止具は前記ラインに沿って移動自在な小片と、前記小片及び前記後方部を嵌合させる嵌合手段とを備え、前記仮止具により前記ラインを後方部に仮止めした状態で前記前方部が下側となり、前記小片は疑似餌の着水時に上方へ移動して前記嵌合が解除されることにより前記仮止めが解除される釣り用仕掛け。
【請求項２】
前記小片が水に浮くフロートである請求項１記載の釣り用仕掛け。
【請求項３】
前記嵌合手段がピンとこのピンが嵌合する孔である請求項１又は２記載の釣り用仕掛け。
【請求項４】
前記仮止具から上方へ延びるラインと前記ピンとの方向が異なっている請求項３記載の釣り用仕掛け。
【請求項５】
前記疑似餌が餌木であり、前記後方部に先端を前方側に向けた針が設けられ、この針より更に後方に前記仮止具が設けられている請求項１〜４のいずれかに記載の釣り用仕掛け。
【請求項６】
前記疑似餌がルアーである請求項１〜４のいずれかに記載の釣り用仕掛け。
【請求項７】
請求項１〜６のいずれかに記載の釣り用仕掛けに用いる疑似餌であって、
前記本体部の後方部に前記ラインを仮止めするための仮止具を設け、この仮止具は前記ラインに沿って移動自在な小片と、前記小片及び前記後方部を嵌合させる嵌合手段とを備え、前記嵌合手段の一部を前記本体部の後方部に設け、前記仮止具により前記ラインを後方部に仮止めした状態で前記前方部が下側となり、前記小片は疑似餌の着水時に上方へ移動して前記嵌合が解除されることにより前記仮止めが解除される疑似餌。
【発明の詳細な説明】
【技術分野】
【０００１】
本発明は、餌木やルアー等の疑似餌を用いた釣り用仕掛け及びこれに用いる疑似餌に関する。さらに詳しくは、本体部の前方部側にウエイトを有すると共に同前方部にラインの接続部を有する疑似餌を備えた釣り用仕掛け及びこれに用いる疑似餌に関する。
【背景技術】
【０００２】
疑似餌は軽量の本体部とウエイトとを有しており、一般的に引き寄せ時における疑似効果を醸し出すために、ウエイトは本体部の前方部側又は中央部に位置している。ところが、このようなウエイトバランスをとると、キャスティング時に疑似餌の飛行方向先端部側に重心が位置せず、飛行時における疑似餌の姿勢が不安定となって飛行距離が伸び難いという問題があった。
【０００３】
そこで、特許文献１に示すように鋼球を移動可能に構成したり、特許文献２に示すように前後方向に設けた金属線に移動可能に錘部を設けたものが知られている。
【特許文献１】実開昭６３−２０７６６号
【特許文献２】特開２００２−３６０１２５号
【０００４】
しかし、いずれの文献記載のものも、もっとも力が作用するウエイトに関する部分が可動するように構成されており、力が作用する分損傷もし易く堅牢に制作するためにコスト高となり、また、構成が複雑となる。
【発明の開示】
【発明が解決しようとする課題】
【０００５】
かかる従来の実情に鑑みて、本発明は、簡易且つ安価な構成でキャスティング時の姿勢安定性に優れしかも引き寄せ時におけるバランスの良い釣り用仕掛け及びこれに用いる疑似餌を提供することを目的とする。
【課題を解決するための手段】
【０００６】
上記目的を達成するため、本発明に係る釣り用仕掛けの特徴は、本体部の前方部側にウエイトを有すると共に同前方部にラインの接続部を有する疑似餌を備え、前記本体部の後方部に前記ラインを仮止めするための仮止具を設け、この仮止具は前記ラインに沿って移動自在な小片と、前記小片及び前記後方部を嵌合させる嵌合手段とを備え、前記仮止具により前記ラインを後方部に仮止めした状態で前記前方部が下側となり、前記小片は疑似餌の着水時に上方へ移動して前記嵌合が解除されることにより前記仮止めが解除されることにある。
【０００７】
上記構成において、前記小片を水に浮くフロートとするのが望ましい。前記嵌合手段は、ピンとこのピンが嵌合する孔で構成することができる。また、前記仮止具から上方へ延びるラインと前記ピンとの方向を異ならせることで、キャスティング前の不測の仮止め解除を防ぐことができる。
【０００８】
前記疑似餌が餌木の場合、前記後方部に先端を前方側に向けた針が設けられ、この針より更に後方に前記仮止具が設けられる。また、前記疑似餌はルアーでもよい。
【０００９】
一方、本発明に係る疑似餌の特徴は、前記本体部の後方部に前記ラインを仮止めするための仮止具を設け、この仮止具は前記ラインに沿って移動自在な小片と、前記小片及び前記後方部を嵌合させる嵌合手段とを備え、前記嵌合手段の一部を前記本体部の後方部に設け、前記仮止具により前記ラインを後方部に仮止めした状態で前記前方部が下側となり、前記小片は疑似餌の着水時に上方へ移動して前記嵌合が解除されることにより前記仮止めが解除されることにある。
【発明の効果】
【００１０】
上記本発明に係る釣り用仕掛け及び疑似餌の特徴によれば、キャスティング時に疑似餌の飛行先端側にウエイトが位置することになり、疑似餌の飛行時の姿勢が安定し、その結果飛躍的にキャスティング距離を伸ばすことが可能になった。また、通常の引き寄せ時にはその疑似餌に適切なウエイトバランスを維持できる。また、ウエイト関連での可動部を特段に設ける必要がないため、キャスティングと引き寄せの要望に応える釣り用仕掛け及び疑似餌を簡素な構成で安価に提供できるようになった。
本発明の他の目的、構成及び効果については、以下の発明の実施の形態の項から明らかになるであろう。
【発明を実施するための最良の形態】
【００１１】
まず、添付図面１〜５を参照しながら、本発明の第一実施形態をさらに詳しく説明する。本実施形態では、疑似餌２としてイカ釣り用の餌木２Ａを用いた釣り用仕掛け１について説明する。この釣り用仕掛け１は、餌木２、ナイロン製のライン１００及び仮止具７を備えている。
【００１２】
餌木２は、軽量合成樹脂等で形成された本体部３の前方部Ｆｓにウエイト４を有すると共に、同前方部Ｆｓにライン１００の接続部である接続環６を有している。本体部３の前方部Ｆｓにはさらに毛３ａ及び目３ｂが設けられている。
【００１３】
本体部３の後方部Ｂｓには、獲物を捕らえるための針５と、ライン１００を仮止めするための仮止具７とが設けられている。針５は、２段に分けて配置され、中央から放射方向に張り出され、さらに前方に向かって屈曲させられている。仮止具は前記ライン１００に沿って移動自在な小片８と、小片８及び後方部Ｂｓを嵌合させる嵌合手段１１とを備えている。そして、仮止具７により前記ライン１００を後方部に仮止めした状態で前記前方部Ｆｓ下側となる。
【００１４】
図４，５（ａ）（ｂ）に示すように、仮止具７の小片８は、合成樹脂等で形成された水に浮くフロートである。また、上記嵌合手段１１が針５に固着されたピン１０とこのピンが嵌合するフロート８の貫通孔９で構成されている。フロート８の高さｈ１よりもピン１０の高さｈ２は低く形成され、ピン１０によるライン１００の傷付きを防いでいる。また、ここではフロート８の幅Ｗ１を高さｈ１より小さく形成して飛行時の抵抗を軽減させている。貫通孔９の直径Ｗ２はピン１０の直径よりやや広く、貫通孔９にはさらにライン１００が挿通され、ライン１００に沿って小片８が移動自在となっている。したがって、着水時の衝撃の他、水中での浮力によりフロート８が浮上してピン１０から離脱し、仮止めが解放されることとなる。
【００１５】
図４，５（ａ）（ｂ）に示すように、針５は、後方部において先端を前方Ｆｄ側に向けて設けられている。また、この針５より更に後方部Ｂｓ前記仮止具７が設けられている。したがって、例えば、前方部Ｆｓ設けられて接続環６に接続されたライン１００は符号５ａ，５ｂに示すような針の間を通り、仮止具７により仮止めされる。よって、仮止めの解放時においても、後方部Ｂｓから解放されて餌木２からラインが離れ始めることとなり、針５にライン１００が引っかかることを防止することができる。
【００１６】
上記仮止め状態では、下側部分にウエイト４が位置するので、ライン１００の先端側が最も重くなる。したがって、図示しない釣り竿と共にライン１００を振り回すことで、ライン１００に仮止めされた餌木２の振り回される円弧の外側にウエイト４が位置することとなる。その結果、キャスティングにおいてウエイト４側が遠投の先端側に位置し、餌木２は安定したキャスティング姿勢で飛躍的に遠投距離を伸ばすことができる。
【００１７】
針５の中心軸とピン５のピン方向Ｐｄはほぼ一致させてある。一方、上記仮止め状態では、仮止具７から上方へ延びるライン１００のライン方向Ｌｄは鉛直ですが、ウエイト４が本体３の下部に設けられていることから、ピン方向Ｐｄはやや傾斜することになる。よって、ピン方向Ｐｄとライン方向Ｌｄとが異なり、これによってライン１００に張力が作用する限り、ピン１０からフロート８が離脱しにくくなり、キャスティング時の不測の仮止め解除が防止されて、安定したキャスティングが可能となる。
【００１８】
使用に際しては、図１の如く、まず、ライン１００に貫通孔９を介して挿通したフロート８をピン１０へ差し込み、ライン１００に張力を作用させる。ウエイト４を下側にした状態で矢印の方向に遠心力を作用させ、キャスティングを行う。着水すると、着水時の衝撃及び／又はフロート８の浮力により仮止具７の仮止めが解除され、図２の如く餌木２は通常の姿勢に戻ろうとする。さらにリールと竿を操作してライン１００に張力を与え引き寄せ操作を行うと、餌木２は前方下部のウエイト４で通常通り微妙なバランスをとりながら前進することが可能である。
【００１９】
次に、本発明の他の実施形態の可能性について言及する。なお、上記実施形態と同様の部材には同一の符号を付してある。
【００２０】
上記実施形態ではフロート８としては、ラグビーボール型のものを用いたが、図５（ｃ）に示すように球形のものを用いてもよく、フロート８を構成する小片は様々な形態のものを用いることができる。但し、疑似餌２に近い側はキャスティング時に先頭側となるので、空気抵抗を緩和する意味で局面状となっていることが望ましい。また、小片８は着水時の衝撃のみならず浮力で外すためにもフロートとすることが望ましい。
【００２１】
上記実施形態では、疑似餌２として餌木２Ａを用いたが、図６，７に示す実施形態では、疑似餌としてルアー２Ｂを用いている。同実施形態では、ウエイト４は本体部３の内部に収納され、針５は本体部３の中央部及び後方部Ｂｓｎｉフック状のものとして設けられている。同実施形態においても、ウエイト４は前方部Ｆｓに設けられているため、上述のキャスティング性向上と釣り時における通常のバランスが維持される。
【００２２】
疑似餌２の形状は上記各実施形態のものに限定されるものではない。本発明はウエイト４が本体部３の前方部Ｆｓ側にあれば効果を発揮し、その効果はより前方部にウエイト４が存在するほど向上する。
【産業上の利用可能性】
【００２３】
本発明は、餌木やルアー等の疑似餌を用いた釣り用仕掛け及びこれに用いる疑似餌として利用することができる。
【図面の簡単な説明】
【００２４】
【図１】餌木として構成された疑似餌に対しラインを仮止具でキャスティング姿勢に仮止めした状態を示す側面図である。
【図２】着水後仮止具が外れた状態を示す側面図である。
【図３】疑似餌牽引時の側面図である。
【図４】疑似餌の背面図である。
【図５】（ａ）は仮止具の拡大図、（ｂ）は（ａ）の別実施形態である。
【図６】ルアーとして構成された疑似餌に対しラインを仮止具でキャスティング姿勢に仮止めした状態を示す側面図である。
【図７】ルアー牽引時の側面図である。
【符号の説明】
【００２５】
１：釣り用仕掛け、２：疑似餌、２Ａ：餌木、２Ｂ：ルアー、３：本体部、４：ウエイト、５：針、Ｆｓ：前方部、Ｂｓ：後方部、Ｌｄ：ライン方向、Ｐｄ：ピン方向、６：接続部（接続環）、７：仮止具、８：小片（フロート）、９：貫通孔、１０：ピン、１１：嵌合手段、１００：ライン
【図１】
0004764778.tif 000002
【図２】
0004764778.tif 000003
【図３】
0004764778.tif 000004
【図４】
0004764778.tif 000005
【図５】
0004764778.tif 000006
【図６】
0004764778.tif 000007
【図７】
0004764778.tif 000008